(57)【要約】【課題】複数の光源を備えている場合であっても、この複数の光源の全てを装置の利用者が簡単に効率よく交換できる投射型画像表示装置を提供する。【解決手段】筐体２０１の開口部カバー２０２を取り外す。光源モジュール１１０をつかんで、筐体ベース２０３と略平行にガイド溝部１１３ａとガイドレール部１３１ａとを滑合させて、光源モジュール１１０を筐体２０１の開口部２０５の外側に引き出す。このとき、光源モジュール１１０の中継ケーブル接続端子１１４が、合成光学系１３０の電力供給用接続端子１３４から外れる。光源１１５の交換は、光源モジュール１１０の単位または各光源部１１１または１１２の単位で行う。【選択図】図８Ｂ
2013148625.tif 000002
【特許請求の範囲】
【請求項１】
光を出力する複数の光源部を筐体に内蔵した投射型画像表示装置であって、
前記複数の光源部のうち少なくとも２つの光源部をユニット化した光源モジュールと、
前記光源モジュールを構成する前記少なくとも２つの光源部がそれぞれ出力する光を合成する合成光学系と、
前記合成光学系が合成した光を平行に出力する照明光学系と、
前記照明光学系が出力する平行光を変調して画面に投射する投射光学系とを備え、
前記光源モジュールを前記筐体の側面に設けられた開口部から出し入れするためのガイド部を有する、投射型画像表示装置。
【請求項２】
前記少なくとも２つの光源部は、前記光源モジュールのユニットケースに着脱可能に格納されており、中継ケーブルを介して電力が供給されることを特徴とする、請求項１に記載の投射型画像表示装置。
【請求項３】
前記光源モジュールは、前記中継ケーブルと電気的に接続された接続端子を前記ユニットケースに備えており、
前記光源モジュールを前記筐体内に装着することで、前記中継ケーブルの接続端子が前記筐体に設けられた電力供給用の接続端子と接続されることを特徴とする、請求項２に記載の投射型画像表示装置。
【請求項４】
前記筐体の開口部には、前記筐体から取り外された場合に投射型画像表示装置が作動しないように電源供給状態を制御する機能を備えた開口部カバーが設けられていることを特徴とする、請求項１に記載の投射型画像表示装置。
【請求項５】
前記少なくとも２つの光源部は、全ての光軸が平行かつ一直線で交わる配置によって前記ユニットケースに格納されており、
前記光源モジュールは、前記筐体の側面から前記一直線の方向に出し入れ可能なことを特徴とする、請求項２に記載の投射型画像表示装置。
【請求項６】
前記光源モジュールは、前記筐体から完全に分離して取り出すことが可能なことを特徴とする、請求項１に記載の投射型画像表示装置。
【請求項７】
前記光源モジュールは、前記中継ケーブルの接続端子よりも長く張り出した突起部をさらに備え、
前記光源モジュールを前記筐体内に装着する際、前記筐体に設けられた孔部に前記突起部が先に挿入されることで、前記中継ケーブルの接続端子と前記電力供給用の接続端子との挿嵌を補助することを特徴とする、請求項３に記載の投射型画像表示装置。
【請求項８】
前記ガイド部は、前記光源モジュールと前記合成光学系とを滑合させる機構であり、前記少なくとも２つの光源部の光軸を挟んだ前記光源モジュールの前記合成光学系に向かう側面の上下端部と前記合成光学系の前記光源モジュールに向かう側面の上下端部とに形成される、請求項１に記載の投射型画像表示装置。
【発明の詳細な説明】
【技術分野】
【０００１】
本発明は、複数の光源を備えた投射型画像表示装置に関し、より特定的には、光源を交換するために投射型画像表示装置から光源を取り出す構造に関する。
【背景技術】
【０００２】
一般に、プロジェクタと呼ばれる投射型画像表示装置では、光源として高圧水銀灯等の放電ランプが用いられる。この放電ランプは、小さな発光体で高輝度を得られる一方で、電極間放電によってプラズマ状態を発生させるため１０００度近い高温かつ２００気圧近い高圧となる。このため、放電ランプの明るさ半減を示す寿命は、１５００〜３０００時間と短い。
【０００３】
このように放電ランプの光源は寿命が短いことから、投射型画像表示装置には、高度な技術を有するサービスマンでなくても、装置の使用者自らが簡単に光源を交換できるような光源取り出し構造が採用されている。例えば、特許文献１および特許文献２に、光源を取り出す構造を有するプロジェクタが開示されている。
【０００４】
この特許文献１に記載されたプロジェクタの構造では、交換のために光源をプロジェクタから取り出す場合には、光源を組み込んだランプハウジングユニットを筐体に対して前後方向にスライドさせる（特許文献１の図３等を参照）。
また、特許文献２に記載されたプロジェクタの構造では、交換のために光源をプロジェクタから取り出す場合には、光源を組み込んだ光源装置を筐体に対して上下方向にスライドさせる（特許文献２の図３等を参照）。
【先行技術文献】
【特許文献】
【０００５】
【特許文献１】特開平１１−２３１４１３号公報
【特許文献２】特開２００８−１７６１９９号公報
【特許文献３】特開２０１０−３３９８８号公報
【発明の概要】
【発明が解決しようとする課題】
【０００６】
近年、投射型画像表示装置がスクリーン上に投射する映像の明るさを向上させる技術として、複数の光源を用いて光量を多くする技術が提案されている。例えば、特許文献３に記載された投射型画像表示装置が存在する。この特許文献３に記載された投射型画像表示装置では、４つの光源を用いて、４つの光源が発する光を少ないロスで最適に合成することで、超高輝度な映像の投射を実現している。
【０００７】
しかし、この特許文献３で提案されているような複数の光源を備えた投射型画像表示装置では、一般に複数の光源が平面的に配置される。従って、この複数の光源を備えた投射型画像表示装置に特許文献１に記載された技術を単純に適用させた場合、筐体の側面から最も外側に配置されている光源を取り出せたとしても、この取り出した光源の奥に配置されている別の光源を取り出すことは簡単ではない。
【０００８】
また、複数の光源を備えた投射型画像表示装置に特許文献２に記載された技術を単純に適用させた場合には、筐体のどこに光源が配置されていても筐体の上面からそれぞれ取り出せる構造にすることが可能である。ところが、この投射型画像表示装置は複数積み重ねて使用されることもあり、このような使用形態では、一部の投射型画像表示装置は、筐体の上面が塞がっており、光源の交換が簡単にできないという問題もある。
【０００９】
それ故に、本発明の目的は、複数の光源を備えている場合であっても、この複数の光源の全てを装置の利用者が簡単に効率よく取り出して交換できる投射型画像表示装置を提供することである。
【課題を解決するための手段】
【００１０】
本発明は、光を出力する複数の光源部を筐体に内蔵した投射型画像表示装置に向けられている。そして、上記目的を達成するために、本発明の投射型画像表示装置は、複数の光源部のうち少なくとも２つの光源部をユニット化した光源モジュールと、光源モジュールを構成する少なくとも２つの光源部がそれぞれ出力する光を合成する合成光学系と、合成光学系が合成した光を平行に出力する照明光学系と、照明光学系が出力する平行光を変調して画面に投射する投射光学系とを備え、光源モジュールを筐体の側面に設けられた開口部から出し入れするためのガイド部を有している。
【００１１】
このガイド部は、光源モジュールと合成光学系とを滑合させる機構であり、少なくとも２つの光源部の光軸を挟んだ光源モジュールの合成光学系に向かう側面の上下端部と合成光学系の光源モジュールに向かう側面の上下端部とに形成されることが望ましい。
【００１２】
少なくとも２つの光源部は、光源モジュールのユニットケースに着脱可能に格納されており、中継ケーブルを介して電力が供給される。
また、光源モジュールは、中継ケーブルと電気的に接続された接続端子をユニットケースに備えており、光源モジュールを筐体内に装着することで、中継ケーブルの接続端子が筐体に設けられた電力供給用の接続端子と接続される。
【００１３】
典型的には、筐体の開口部に、筐体から取り外された場合に投射型画像表示装置が作動しないように電源供給状態を制御する機能を備えた開口部カバーを設ける。そして、少なくとも２つの光源部を、全ての光軸が平行かつ一直線で交わる配置によってユニットケースに格納する構造とし、光源モジュールを、筐体の側面から一直線の方向に出し入れできるようにすることが好ましい。
【００１４】
光源モジュールは、筐体から完全に分離して取り出す構造にしてもよいし、ストッパ等を設けて筐体から完全に分離して取り出せない構造にしてもよい。
また、光源モジュールに、中継ケーブルの接続端子よりも長く張り出させることで筐体に設けられた孔部に先に挿入する突起部を設けておけば、光源モジュールを筐体内に装着する際の中継ケーブルの接続端子と電力供給用の接続端子との挿嵌を補助することが可能となる。
【発明の効果】
【００１５】
上記本発明の投射型画像表示装置によれば、複数の光源を備えている場合であっても、この複数の光源の一部または全部を利用者が簡単に装置から取り出して交換することができる。
【図面の簡単な説明】
【００１６】
【図１Ａ】本発明の一実施形態に係る投射型画像表示装置１００の外部構造を示す後方左上部からの外観斜視図
【図１Ｂ】本発明の一実施形態に係る投射型画像表示装置１００の外部構造を示す後方右上部からの外観斜視図
【図２Ａ】本発明の一実施形態に係る投射型画像表示装置１００の外部構造を示す後方右上部からの外観斜視図
【図２Ｂ】図２Ａに示した外観斜視図において筐体２０１から開口部カバー２０２を取り外した図
【図３Ａ】図１Ａに示した投射型画像表示装置１００の外装ケースを取り外した状態における筐体ベース２０３に設置された内部の主要な構成を示した斜視図
【図３Ｂ】図３Ａに示した主要な構成を光学系についてさらに簡略化した概略図
【図４Ａ】光源モジュール１１０の構造を概略的に示した斜視図
【図４Ｂ】光源モジュール１１０の構造を概略的に示した斜視図
【図５】光源部１１１および光源部１１２の構造を概略的に示した斜視図
【図６】光源モジュール１１０の構造を概略的に示した斜視図
【図７】合成光学系１３０の構造を概略的に示した斜視図
【図８Ａ】光源モジュール１１０が合成光学系１３０に装着されている状態を示した斜視図
【図８Ｂ】光源モジュール１１０が合成光学系１３０から取り外される状態を示した斜視図
【図９Ａ】光源モジュール１１０が合成光学系１３０に取り付けられる状態を示した斜視図
【図９Ｂ】光源モジュール１１０が合成光学系１３０に装着された状態を示した斜視図
【発明を実施するための形態】
【００１７】
本発明は、複数の光源を備えた投射型画像表示装置に適用可能な技術である。
以下の実施形態では、４つの光源を備えた投射型画像表示装置を一例に挙げて、本発明の特徴的な構造を説明する。
【００１８】
＜外部構造＞
図１Ａおよび図１Ｂは、本発明の一実施形態に係る投射型画像表示装置１００の外部構造を示す外観斜視図である。図１Ａは、画像の投射方向である前方に対して後方左上部から投射型画像表示装置１００を見た斜視図である。図１Ｂは、同前方に対して後方右上部から投射型画像表示装置１００を見た斜視図である。この本実施形態に係る投射型画像表示装置１００は、最も面積が広い底面および上面と４つの側面とからなる略直方体形状の筐体２０１を有し、この筐体２０１から投射レンズ１５１の一部が突出した構造である。この投射型画像表示装置１００は、入出力インタフェース部２０４から画像データを外部入力し、投射レンズ１５１を通してスクリーン（図示せず）に向けて拡大した画像を投射する機能を有している。
【００１９】
筐体２０１の投射レンズ１５１が突出した側面（前面）と反対の側面（後面）には、カバー２０２付きの開口部２０５が設けられている。この開口部カバー２０２は、図２Ａおよび図２Ｂに示すように、ネジなどの取り付け部材を用いて筐体２０１と着脱可能に構成されている。筐体２０１から開口部カバー２０２を取り外すことで、開口部２０５が露出して筐体２０１に内蔵している光源モジュール１１０および光源モジュール１２０の簡単な交換が可能となる。
【００２０】
＜内部構造＞
図３Ａは、図１Ａに示した本実施形態に係る投射型画像表示装置１００の外装ケースを取り外した状態における、筐体ベース２０３に設置された内部の主要な構成を示した斜視図である。図３Ｂは、図３Ａに示した主要な構成を光学系についてさらに簡略化した概略図である。
【００２１】
図３Ａおよび図３Ｂにおいて、本実施形態に係る投射型画像表示装置１００は、２つの光源モジュール１１０および光源モジュール１２０と、合成光学系１３０と、照明光学系１４０と、投射光学系１５０とを備えている。
なお、一般的な投射型画像表示装置１００には、上述した構成の他にも、光源駆動回路、映像処理回路、冷却ファン、吸気口、および排気口等の構成が設けられているが、これらの構成は本発明の主眼ではないため図３Ａおよび図３Ｂでは省略している。
【００２２】
光源モジュール１１０は、図４Ａおよび図４Ｂに概略的に示すように、ユニットケース１１３に２つの光源部１１１および光源部１１２が格納された構造である。ユニットケース１１３は、格納された光源部１１１および光源部１１２の重量を十分支えることができる強度を有し、光源部からの熱に耐えうるためにアルミ等の金属や耐熱性の樹脂等で形成されている。このユニットケース１１３には、後述する合成光学系１３０の合成ベース１３１が有するガイドレール部１３１ａとの組み合わせでガイド部を構成するガイド溝部１１３ａが形成されている。このガイド溝部１１３ａは、光源部１１１および光源部１１２の光照射方向側となる、ユニットケース１１３の合成光学系１３０に向かう側面の上端部および下端部に設けられる。なお、このガイド溝部１１３ａは、ユニットケース１１３と別部品で構成されてもよいし（図４Ａおよび図４Ｂで示す例）、一体成形された１部品として構成されてもよい。
【００２３】
ユニットケース１１３には、合成光学系１３０への光源モジュール１１０の確実な装着を補助するため、合成光学系１３０の合成ベース１３１に設けられた第１の孔部１３１ｂ、第２の孔部１３１ｃ、および突起部１３１ｄ（後述する）に対応する位置に、第１の突起部１１３ｂ、第２の突起部１１３ｃ、および孔部１１３ｄが形成されている。さらに、ユニットケース１１３は、光源部１１１および光源部１１２に接続された電力を供給するための中継ケーブルを接続する端子である中継ケーブル接続端子１１４を備えている。第１の突起部１１３ｂは、中継ケーブル接続端子１１４よりもユニットケース１１３から張り出して形成されている。つまり、第１の突起部１１３ｂの突出部分は、中継ケーブル接続端子１１４の突出部分よりも長い。この張り出した長さの違いよって、第１の突起部１１３ｂによる中継ケーブル接続端子１１４と合成光学系１３０に設けられた電力供給用接続端子１３４（後述する）との位置合わせが行われる。この中継ケーブル接続端子１１４は、電力供給用接続端子１３４に挿嵌されて電気的に接続される。
【００２４】
光源部１１１および光源部１１２は、それぞれ、光を発生する光源１１５と、光源１１５が発生した光を集光する集光レンズ１１６とを有している（図５（ａ））。光源１１５には、例えば高圧水銀灯等の放電ランプが用いられる。光源１１５と集光レンズ１１６とは、所定のランプホルダ１１７に収納され（図５（ｂ））、このランプホルダ１１７がユニットケース１１３に格納される（図６を参照）。このとき、光源部１１１および光源部１１２は、隣接して配置され、光源部１１１の光軸と光源部１１２の光軸とが平行になる配置で、かつ、光源部１１１の光軸と光源部１１２の光軸とに交わる一直線が、ガイド溝部１１３ａと平行になる配置（図４Ｂの点線を参照）で、ランプホルダ１１７がユニットケース１１３に格納されることが望ましい。なお、光源モジュール１１０が複数の光源部を有している場合には、全ての光源部の光軸が平行かつ一直線で交わる配置で、ランプホルダ１１７がユニットケース１１３に格納されることになる。
【００２５】
なお、光源モジュール１２０は、上述した光源モジュール１１０と同じ部品および構成を備えており、その構造は光源モジュール１１０と左右対称となっている。よって、光源モジュール１２０の説明は省略する。
【００２６】
合成光学系１３０は、図７に示すように、合成ベース１３１と、光合成部１３２と、窓部１３３と、電力供給用接続端子１３４とを備える。合成ベース１３１には、光源モジュール１１０および光源モジュール１２０に形成されたガイド溝部１１３ａが滑合できるガイドレール部１３１ａが形成されている。この合成ベース１３１は、装着された光源モジュール１１０および光源モジュール１２０の重量を十分支えることができる強度を有し、光源部からの熱に耐えうるためにアルミ等の金属や耐熱性の樹脂等で形成されている。また、ガイドレール部１３１ａは、光源モジュール１１０のガイド溝部１１３ａ用に光源モジュール１１０と対向する側面の上下端部と、光源モジュール１２０のガイド溝部１１３ａ用に光源モジュール１２０と対向する側面の上下端部とに、それぞれ形成される。
【００２７】
合成ベース１３１には、光源モジュール１１０の確実な挿入を補助するため、光源モジュール１１０のユニットケース１１３に設けられた第１の突起部１１３ｂ、第２の突起部１１３ｃ、および孔部１１３ｄに対応する位置に、第１の孔部１３１ｂ、第２の孔部１３１ｃ、および突起部１３１ｄが形成されている。また、窓部１３３は、合成ベース１３１に光源モジュール１１０および光源モジュール１２０を装着したときに、モジュールを構成する各光源１１５が発生した光を通過させるために形成されている。光合成部１３２は、プリズム、反射ミラー、およびロッドインテグレータ等の部品から構成され、窓部１３３を通過して入射してくる光を１つに合成し、この合成光を照明光学系１４０に向けて出力する（図７の矢印方向）。電力供給用接続端子１３４は、光源モジュール１１０および光源モジュール１２０の中継ケーブル接続端子１１４と接続される端子であり、光源１１５を駆動するための電力が供給されている。
【００２８】
照明光学系１４０は、合成光学系１３０から出力される合成光を、透過型液晶パネルや画像表示素子であるＤＭＤ（デジタル・ミラー・デバイス）等を有するライトバルブユニット（図示せず）に導いて、集光および照射させる。
投射光学系１５０は、例えば投射レンズ１５１等から構成され、ライトバルブユニット（図示せず）で生成された投射すべき映像データをスクリーン（図示せず）に拡大投影させる。
【００２９】
＜光源の交換手順＞
上記構成による本発明の一実施形態に係る投射型画像表示装置１００が提供する光源１１５の簡単な交換手順を説明する。なお、光源モジュール１１０と光源モジュール１２０とは、構造は左右対称であるが交換手順は同じである。よって、光源モジュール１１０について、光源１１５の交換手順を以下に説明する。
【００３０】
（１）点灯しなくなった光源１１５等を筐体２０１から取り出す場合
まず、筐体２０１の開口部カバー２０２を取り外す（図２Ｂ）。この際、筐体２０１と開口部カバー２０２との間に、主電源の供給状態を切り替える機能（例えば、プッシュスイッチ等）を設けておき（図示せず）、開口部カバー２０２を筐体２０１から取り外したときに、投射型画像表示装置１００の各回路への電源供給が停止するように構成しておくことが望ましい。筐体２０１の内部では図８Ａに示すように、光源モジュール１１０が、合成光学系１３０の合成ベース１３１に装着されている。
【００３１】
次に、光源モジュール１１０をつかんで、筐体ベース２０３と略平行にガイド溝部１１３ａとガイドレール部１３１ａとを滑合させて、光源モジュール１１０を筐体２０１の開口部２０５の外側に引き出す（図８Ｂ）。この場合、光源モジュール１１０が筐体２０１から完全に分離する構造にしてもよいし、ユニットケース１１３または合成ベース１３１にストッパ等（図示せず）を設けて光源モジュール１１０が所定量以上スライドしないようにし、光源モジュール１１０が筐体２０１から完全に分離しない構造にしてもよい。また、光源モジュール１１０を筐体２０１の開口部２０５の外側に引き出したときに、光源モジュール１１０の中継ケーブル接続端子１１４が、合成光学系１３０の電源供給用接続端子１３４から外れる。
【００３２】
光源１１５の交換は、光源モジュール１１０が筐体２０１から完全に分離する構造である場合には、光源モジュール１１０に格納されたままで２つの光源部１１１および光源部１１２を一度に交換してもよいし、交換対象の光源１１５を有する光源部１１１または光源部１１２だけをユニットケース１１３から取り外して交換してもよい。一方、光源モジュール１１０が筐体２０１から完全に分離しない構造である場合には、交換対象の光源１１５を有する光源部１１１または光源部１１２だけをユニットケース１１３から取り外して交換することとなる（図６を参照）。
【００３３】
（２）新しい光源１１５を筐体２０１に取り付ける場合
全く新品の光源モジュール１１０または対象の光源部１１１または光源部１１２だけを新品に交換した旧品の光源モジュール１１０を用意し、開口部カバー２０２が取り外された筐体２０１の開口部２０５から挿入する。この際、ユニットケース１１３に形成されているガイド溝部１１３ａを、合成光学系１３０に形成されているガイドレール部１３１ａの位置に合わせて差し込み（図９Ａ）、ガイド溝部１１３ａとガイドレール部１３１ａとを滑合させて筐体２０１の奥に突き当たるまで挿入する。このとき、光源モジュール１１０のユニットケース１１３に形成されている第１の突起部１１３ｂが中継ケーブル接続端子１１４よりも出っ張って形成されているため、第１の突起部１１３ｂが合成光学系１３０の合成ベース１３１に形成されている第１の孔部１３１ｂに、最初に挿入される。
【００３４】
これにより、光源モジュール１１０の中継ケーブル接続端子１１４の位置が合成光学系１３０の電力供給用接続端子１３４の位置に導かれて、中継ケーブル接続端子１１４が電力供給用接続端子１３４に確実に挿嵌される。また、光源モジュール１１０のユニットケース１１３に形成されている第２の突起部１１３ｃが、合成光学系１３０の合成ベース１３１に形成されている第２の孔部１３１ｃに挿入され、かつ、光源モジュール１１０のユニットケース１１３に形成されている孔部１１３ｄに、合成光学系１３０の合成ベース１３１に形成されている突起部１３１ｄが挿入される（図９Ｂ）。
【００３５】
以上のように、本発明の一実施形態に係る投射型画像表示装置１００によれば、複数の光源を備えている場合であっても、この複数の光源の一部または全部を利用者が装置から取り出して簡単に交換することができる。
【００３６】
なお、上記実施形態では、光源モジュールが２つの場合を説明したが、投射型画像表示装置１００が内蔵する光源モジュールの数は、１つであっても３つ以上であってもよい。また、１つの光源モジュールに搭載される光源部は、３つ以上であってもよい。さらに、投射型画像表示装置１００が内蔵する光源部は、全て光源モジュール化する必要はなく、一部の光源部が単体で存在していてもかまわない。
【００３７】
また、光源モジュール１１０のユニットケース１１３および合成光学系１３０の合成ベース１３１に形成する突起部および孔部の数、位置、および形状等は、本実施形態で説明した一例に限られるものではなく、他の数、位置、および形状を有する突起部および孔部を形成してもよい。
【００３８】
さらに、上記実施形態では、光源モジュール１１０のユニットケース１１３にガイド溝部１１３ａを、合成光学系１３０の合成ベース１３１にガイドレール部１３１ａを、それぞれ形成する例を示した。しかし、ユニットケース１１３にガイドレール部を、合成ベース１３１にガイド溝部を、それぞれ形成しても、本発明の効果を奏することができる。また、ガイド溝部１１３ａとガイドレール部１３１ａとは、滑合可能であればその形状は自由に設計することが可能である。
【産業上の利用可能性】
【００３９】
本発明が提供する光源の取りだし構造は、複数の光源を持った投射型画像表示装置に利用可能であり、特に効率よく簡単に装置から光源を取り出して交換したい場合等に適している。
【符号の説明】
【００４０】
１００  投射型画像表示装置
１１０、１２０  光源モジュール
１１１、１１２  光源部
１１３  ユニットケース
１１３ａ  ガイド溝部
１１３ｂ、１１３ｃ、１３１ｄ  突起部
１１３ｄ、１３１ｂ、１３１ｃ  孔部
１１５  光源
１１６  集光レンズ
１１７  ランプホルダ
１１４  中継ケーブル接続端子
１３０  合成光学系
１３１  合成ベース
１３１ａ  ガイドレール部
１３２  光合成部
１３３  窓部
１３４  電力供給用接続端子
１４０  照明光学系
１５０  投射光学系
１５１  投射レンズ
２０１  筐体
２０２  開口部カバー
２０３  筐体ベース
２０４  入出力インタフェース部
２０５  開口部
【図１Ａ】
2013148625.tif 000003
【図１Ｂ】
2013148625.tif 000004
【図２Ａ】
2013148625.tif 000005
【図２Ｂ】
2013148625.tif 000006
【図３Ａ】
2013148625.tif 000007
【図３Ｂ】
2013148625.tif 000008
【図４Ａ】
2013148625.tif 000009
【図４Ｂ】
2013148625.tif 000010
【図５】
2013148625.tif 000011
【図６】
2013148625.tif 000012
【図７】
2013148625.tif 000013
【図８Ａ】
2013148625.tif 000014
【図８Ｂ】
2013148625.tif 000015
【図９Ａ】
2013148625.tif 000016
【図９Ｂ】
2013148625.tif 000017